(57)【要約】【課題】いったん蓄電された電力が発電のために費やされることがない、蓄電効率が高い発電装置を提供する。【解決手段】位相が異なる交流の多相電圧を生成する多相発電機１、多相発電機１によって生成された多相電圧を整流して出力する全波整流器２、全波整流器２による整流出力によって充放電される、多段に接続された複数のコンデンサ２０４ａ、２０４ｂ、整流出力にしたがって交互にオン、オフすることにより、多段に接続された転送用コンデンサのうちの１つに蓄電された電荷を、次段の転送用コンデンサに転送させるスイッチ対を含む制御回路１０２により、最後段に接続された転送用コンデンサに蓄電された電荷を、コンデンサ４に出力させる。【選択図】図１
2014054110.tif 000002
【特許請求の範囲】
【請求項１】
位相が異なる交流の多相電圧を生成する多相発電機と、
前記多相発電機によって生成された前記多相電圧を整流して出力する整流器と、
前記整流器による整流出力によって充放電される、多段に接続された複数の転送用コンデンサと、
前記整流出力にしたがって交互にオン、オフすることにより、前記多段に接続された前記転送用コンデンサのうちの１つに蓄電された電荷を、次段の前記転送用コンデンサに転送させるスイッチ対を含む制御回路と、を含み、
最後段に接続された前記転送用コンデンサに蓄電された電荷を、蓄積用コンデンサに出力させるようにしたことを特徴とする発電装置。
【請求項２】
前記蓄積用コンデンサが、多段に接続された複数の前記転送用コンデンサに外付けされることを特徴とする請求項１に記載の発電装置。
【請求項３】
多相発電機によって生成された多相電圧を整流して出力する整流器と、
前記整流器による整流出力によって充放電される、多段に接続された複数の転送用コンデンサを有する昇圧回路部と、
前記整流出力にしたがって交互にオン、オフすることにより、前記多段に接続された前記転送用コンデンサのうちの１つに蓄電された電荷を、次段の前記転送用コンデンサに転送させるスイッチ対を含む制御回路と、
を含むことを特徴とする昇圧回路。
【請求項４】
前記昇圧回路部は、
入力電圧が入力される入力端子と、
前記入力端子に一端が接続される第１転送用コンデンサと、前記入力端子に一端が接続され、かつ、前記第１転送用コンデンサと並列に接続される第２転送用コンデンサと、
を含み、
前記制御回路の前記スイッチ対は、
前記多相発電機によって生成された多相電圧によって交互にオン、またはオフされる一対のトランジスタを含み、前記入力電圧、またはグランド電圧が出力される第１出力端子を有する第１インバータと、
前記第１インバータの第１出力端子から出力される前記入力電圧、またはグランド電圧によって交互にオン、またはオフされる一対のトランジスタを含み、前記入力電圧、またはグランド電圧が出力される第２出力端子を有する前記第２インバータと、
を含み、
前記第１コンデンサの前記一端と異なる他の一端は前記第１インバータの前記第１出力端子に接続され、前記第２コンデンサの前記一端と異なる他の一端は前記第２インバータの第２出力端子に接続されることを特徴とする請求項３に記載の昇圧回路。
【請求項５】
前記入力端子と前記第１転送用コンデンサの前記一端との間に第１ダイオードが接続され、前記第１転送用コンデンサの前記一端と前記第２転送用コンデンサの前記一端との間に第２ダイオードが接続され、前記第２転送用コンデンサの前記一端と前記出力端子との間に第３ダイオードが接続されることを特徴とする請求項４に記載の昇圧回路。
【発明の詳細な説明】
【技術分野】
【０００１】
本発明は、発電装置及びこの発電装置に用いられる昇圧回路に係る。
【背景技術】
【０００２】
近年、手動で磁石を回転させることによって電力を発生させる発電機が知られている。このような発電機は、手回し発電機とも呼ばれている。
手回し発電機は、クリーンで安全な電気エネルギーを作り出すことができるばかりでなく、停電時にも電力を作り出すことができる。このため、手回し発電機は、災害時の照明や携帯電話機の充電機として利用するものとして注目されている。
【０００３】
手回し発電機は、生成された電圧を高めるための昇圧回路を有している。昇圧回路の一般的な構成は、例えば、特許文献１に記載されている。ただし、特許文献１記載の発明の発電機は、手動ではなく、車両エンジンの駆動力を使って磁界コイルを回転させる車両用発電機である。
特許文献１記載の車両用発電機は、レギュレータに接続されていて、レギュレータはチャージポンプ回路（昇圧回路）を備えている。バッテリ電圧が低下すると、チャージポンプ回路に電力が供給され、昇圧動作が開始される。チャージポンプ回路が十分な電圧を出力するようになると、発電が開始されてバッテリが充電されるようになる。バッテリの電圧が１４Ｖを超えたとき、チャージポンプ回路への給電が停止される。
【先行技術文献】
【特許文献】
【０００４】
【特許文献１】特開２００５−３１２２４７号公報
【発明の概要】
【発明が解決しようとする課題】
【０００５】
しかしながら、上記した特許文献１の発電機では、チャージポンプ回路が発振回路を備えていて、発振回路がチャージポンプ回路を駆動するための発振信号を出力する。発振回路はバッテリに充電されているエネルギーを使って動作している。このため、特許文献１記載の発明では、チャージポンプ回路が所定の電圧を出力するようになるまではバッテリの充電が開始されない。また、チャージポンプ回路が備える発振器が、チャージポンプ回路から出力される電力によって動作するので、チャージポンプ回路の昇圧の効率を低下させることになる。
【０００６】
このため、上記した特許文献１記載の発明を手回し発電機に適用すると、チャージポンプ回路が所定の値の電圧を出力できる以上の単位時間当たりの回転数で磁石を回す必要が生じる。この点は、老人や女性、あるいは子供といった比較的腕力のない者にとって、手回し発電機を使い難いものにしている。
本発明は、このような点に鑑みてなされたものであり、いったん蓄電された電力が発電のために費やされることがなく、蓄電効率が高い発電装置、この発電装置に設けられる昇圧回路を提供することを目的とする。
【課題を解決するための手段】
【０００７】
本発明の一態様の発電装置（例えば図１に示した発電装置１００）は、位相が異なる交流の多相電圧を生成する多相発電機（例えば図１に示した多相発電機１）と、前記多相発電機によって生成された前記多相電圧を整流して出力する整流器（例えば図１に示した全波整流器２）と、前記整流器による整流出力によって充放電される、多段に接続された複数の転送用コンデンサ（例えば図２に示したコンデンサ２０４ａ、２０４ｂ）と、前記整流出力にしたがって交互にオン、オフすることにより、前記多段に接続された前記転送用コンデンサのうちの１つに蓄電された電荷を、次段の前記転送用コンデンサに転送させるスイッチ対を含む制御回路（例えば図１に示した制御回路１０２）と、を含み、最後段に接続された前記転送用コンデンサに蓄電された電荷を、蓄積用コンデンサ（例えば図１に示したコンデンサ４）に出力させるようにしたことを特徴とする。
【０００８】
本発明の一態様の発電装置は、前記蓄積用コンデンサが、多段に接続された複数の前記転送用コンデンサに外付けされることが望ましい。
本発明の一態様の昇圧回路（例えば図１に示した昇圧回路１０１）は、多相発電機（例えば図１に示した多相発電機１）によって生成された多相電圧を整流して出力する整流器（例えば図１に示した全波整流器２）と、前記整流器による整流出力によって充放電される、多段に接続された複数の転送用コンデンサ（例えば図２に示したコンデンサ２０４ａ、２０４ｂ）を有する昇圧回路部（例えば図３に示した昇圧回路部１０３）と、前記整流出力にしたがって交互にオン、オフすることにより、前記多段に接続された前記転送用コンデンサのうちの１つに蓄電された電荷を、次段の前記転送用コンデンサに転送させるスイッチ対（例えば図２に示したインバータ２５、２６）を含む制御回路（例えば図１に示した制御回路１０２）と、を含むことを特徴とする。
【０００９】
本発明の一態様の昇圧回路は、前記昇圧回路部が、入力電圧が入力される入力端子（例えば図２に示した入力端子２０３ａ）と、前記入力端子に一端が接続される第１転送用コンデンサ（例えば図２に示したコンデンサ２０４ａ）と、前記入力端子に一端が接続され、かつ、前記第１転送用コンデンサと並列に接続される第２転送用コンデンサ（例えば図２に示したコンデンサ２０４ｂ）と、を含み、前記制御回路の前記スイッチ対は、前記多相発電機によって生成された多相電圧によって交互にオン、またはオフされる一対のトランジスタ（ｐ型のトランジスタ２０５ａ、ｎ型のトランジスタ２０６ａまたはｐ型のトランジスタ２０５ｂ、ｎ型のトランジスタ２０６ｂ）を含み、前記入力電圧、またはグランド電圧が出力される第１出力端子を有する第１インバータ（例えば図２に示したインバータ２５）と、前記第１インバータの第１出力端子から出力される前記入力電圧、またはグランド電圧によって交互にオン、またはオフされる一対のトランジスタを含み、前記入力電圧、またはグランド電圧が出力される第２出力端子を有する前記第２インバータ（例えば図２に示したインバータ２６）と、を含み、前記第１コンデンサの前記一端と異なる他の一端は前記第１インバータの前記第１出力端子に接続され、前記第２コンデンサの前記一端と異なる他の一端は前記第２インバータの第２出力端子に接続されることを特徴とする。
【００１０】
本発明の一態様の昇圧回路は、前記入力端子と前記第１転送用コンデンサの前記一端との間に第１ダイオード（例えば図２に示したダイオード２０１ｇ）が接続され、前記第１転送用コンデンサの前記一端と前記第２転送用コンデンサの前記一端との間に第２ダイオード（例えば図２に示したダイオード２０１ｈ）が接続され、前記第２転送用コンデンサの前記一端と前記出力端子との間に第３ダイオード（例えば図２に示したダイオード２０１ｉ）が接続されることが望ましい。
【発明の効果】
【００１１】
上記した本発明の発電装置、この発電装置に用いられる昇圧回路は、複数のコンデンサのうちの１つに蓄積された電荷を、整流出力によって駆動するスイッチ対によって次段のコンデンサに転送させ、最後段に接続されたコンデンサに蓄積された電荷を外部に出力させる制御回路により、電荷が入力されている間は電荷をコンデンサに蓄積し、外部に出力させることができる。このため、昇圧回路の駆動に発振器を用いる必要がない。そして、蓄電された電力が発振器の駆動に費やされることがなく、蓄電効率が高い発電装置、この発電装置に設けられる昇圧回路を提供することができる。
【図面の簡単な説明】
【００１２】
【図１】本発明の一実施形態の発電装置及び昇圧回路と、既存の発電装置及び昇圧回路とを比較して説明するため図である。
【図２】本発明の一実施形態の発電装置及び昇圧回路の回路構成を説明するための図である。
【図３】図２に示した発電装置のノードの電圧の波形を説明するための図である。
【発明を実施するための形態】
【００１３】
以下、本発明の一実施形態の発電装置、この発電装置に設けられる昇圧回路を説明する。
（発電装置及び昇圧回路の構成）
図１（ａ）、（ｂ）は、本実施形態の発電装置及び昇圧回路と、既存の発電装置及び昇圧回路とを比較して説明するため図である。図１（ａ）は、既存の発電装置及び昇圧回路を示していて、図１（ｂ）は本実施形態の発電装置１００及び昇圧回路１０１を示している。なお、図１（ａ）、（ｂ）に共通の符号は、同一の構成を示していて、図１（ａ）で説明した構成と同様の図１（ｂ）の構成については同様の符号を付し、その説明を一部略す。
【００１４】
図１（ａ）に示したように、既存の発電装置は、多相発電機１と、多相発電機１によって発電された電力を整流する全波整流器２と、昇圧回路３と、昇圧回路３によって電圧が昇圧された電力を蓄積するコンデンサ４と、を備えている。昇圧回路３は、入力された電力の昇圧を行う昇圧回路部５と、昇圧動作を制御する制御回路６と、２つの発振信号を切り替えて制御回路６に供給する発振回路７と、を含んでいる。
【００１５】
多相発電機１によって発電した交流の電圧は、全波整流器によって直流電圧に変換され、さらに昇圧回路部５に供給される。昇圧回路部５では、供給された電圧を昇圧する。このとき、制御回路６は、発振回路７から供給された発振信号にしたがって昇圧回路部５を制御する。昇圧回路部５によって昇圧された電圧により、コンデンサ４に電荷が蓄積される（以下、コンデンサ４が充電されるとも記す）。
既存の発電装置では、図１（ａ）に示したように、発振回路７に対してコンデンサ４から電力が供給されていて、発振回路７は、この電力を使って動作している。
【００１６】
一方、図１（ｂ）に示したように、本実施形態の発電装置１００は、多相発電機１、全波整流器１０４、昇圧回路１０１、コンデンサ４を備えていて、昇圧回路１０１は、昇圧回路部１０３、制御回路１０２を含んでいる。なお、図１（ａ）、（ｂ）に示したいずれの構成においても、コンデンサ４は外付けの構成であってもよい。
本実施形態の発電装置１００は、図１（ａ）に示した発振回路７を持たない点で従来の発電装置と相違する。このため、本実施形態の発電装置１００は、コンデンサ４に蓄積された電力を発振回路７で消費することなく、入力電圧が入力されている間だけ動作することができる。このような本実施形態によれば、発電装置１００が動作をしていない間にコンデンサ４の電力が消費されることがない。
【００１７】
また、本実施形態によれば、発電装置１００に入力電圧が入力されている間充電が行われる。このため、「背景技術」で説明した特許文献１のように、バッテリの電圧や発電装置１００の発電状態をモニターし、この結果によって昇圧回路部の制御を開始、あるいは停止させる必要がない。
以上のことから、本実施形態は、回路構成が簡単な上、蓄電効率が高い発電装置、あるいは昇圧回路を提供することができる。
【００１８】
（発電装置及び昇圧回路の回路構成）
図２は、図１（ｂ）に示した本実施形態の発電装置１００及び昇圧回路１０１の回路構成を説明するための図である。なお、図２に示した構成のうち、図１（ｂ）に示した構成と同様の構成については同様の符号を付し、その説明の一部を略すものとする。
図２に示した昇圧回路１０１は、３つのステータコイル２０２ａ、２０２ｂ、２０２ｃと、２つのコンデンサ２０４ａ、２０３ｂとで構成される多相発電機１と、６個のダイオード２０１ａ、２０１ｂ、２０１ｃ、２０１ｄ、２０１ｅ、２０１ｆによって構成される全波整流器２と、を含んでいる。また、本実施形態の発電装置１００は、３つのダイオード２０１ｇ、２０１ｈ、２０１ｉによって構成される昇圧回路部１０３と、ｐ型のトランジスタ２０５ａ、ｎ型のトランジスタ２０６ａによって構成されるインバータ２５と、ｐ型のトランジスタ２０５ｂ及びｎ型のトランジスタ２０６ｂによって構成されるインバータ２６と、によって構成される制御回路１０２と、を含んでいる。
【００１９】
なお、図２に示した構成では、昇圧回路部１０３の段数が３段であるから、３つのダイオードがと２つのコンデンサを備えている。ただし、本実施形態は、このような構成に限定されるものでなく、任意の段数を有するものであってもよい。また、ダイオードやコンデンサの個数も、段数に応じて任意の数設けられるものであってよい。
３つのステータコイル２０２ａ〜２０２ｃを有する多相発電機１は、三相交流発電部である。各ステータコイルから出力される信号を、φ１、φ２、φ３の符号を付して示す。また、ダイオード２０１ａ〜２０１ｆのアノードは全て入力端子２０３ａに接続されている。昇圧回路１０１の出力端子に符号２０３ｂを付して示す。コンデンサ４に蓄積された電力は、出力端子２０３ｂから出力されて図示しない負荷に供給される。
【００２０】
なお、本実施形態では、コンデンサ４を、昇圧回路部１０１から出力された電力を蓄積するため、コンデンサ２０４ａ、２０４ｂよりも大きな蓄電容量を有するものとする。コンデンサ４は、発電装置１００に内蔵されるものであってもよいし、外付けされるものであってもよい。
本実施形態では、図２に示した発電装置１００が、図示しない手回し発電機に内蔵されるものとして説明する。手回し発電機は、多相発電機１の外側に、ステータコイル２０２ａ〜２０２ｃに対向して設けられている永久磁石（図示せず）を手動で回転させることによって発電する。
【００２１】
図３（ａ）、（ｂ）、（ｃ）は、図２に示した発電装置１００のノードの電圧の波形を説明するための図である。図３（ａ）は、ステータコイル２０２ａ、２０２ｂ、２０２ｃの各々から出力される電圧（相電圧）Ｖｘを示していて、その縦軸が電圧値、横軸が時間を示している。図中にφ１を付して示した相電圧はステータコイル２０２ａから出力された相電圧を示し、φ２を付して示した相電圧はステータコイル２０２ｂから出力された相電圧を示し、φ３を付して示した相電圧はステータコイル２０２ｃから出力された相電圧を示している。
【００２２】
相電圧φ１〜φ３は、いずれもその周波数及び振幅が一定で、位相のみがずれたサイン波である。図３（ａ）に示したように、相電圧φ１と相電圧φ２とは位相が１２０度ずれており、相電圧φ２と相電圧φ３とは位相が１２０度ずれている。相電圧φ２は、制御回路１０２のインバータ２５を構成するトランジスタ２０５ａ、２０６ａに入力される。
図３（ｂ）は、図２に示した入力電圧Ｖｉｎの波形を示した図である。全波整流器２は、図３（ｂ）に示したように、図３（ａ）に示した相電圧φ１、φ２、φ３の−側に振幅を持つ信号の極性を反転させ、反転させられた信号を、＋側に振幅を持つ信号に重ね合わせた波形形状になる。このようにすることにより、全波整流器２は、図３（ａ）に示した相電圧を略直流電圧に変換することができる。
【００２３】
図３（ｃ−１）、（ｃ−２）、（ｃ−３）は、相電圧φ２と、図２中に示したノードｎ１、ｎ２とに出力される電圧の変化を示す図であって、図３（ｃ−１）は図２中に示した相電圧φ２を示し、図３（ｃ−２）はノードｎ１の電圧を示している。また、図３（ｃ−３）はノードｎ２の電位の変化を示している。図３（ｃ−１）〜（ｃ−３）の縦軸はいずれも電圧を示し、横軸は時間を示している。図３（ｃ−２）、（ｃ−３）によれば、コンデンサ２０４ａとコンデンサ２０４ｂとは、インバータ２５、２６によって交互に充放電されることが分かる。
【００２４】
（発電装置及び昇圧回路の動作）
次に、図２に示した構成の、本実施形態の発電装置１００及び昇圧回路１０１の動作を説明する。
手回し発電機の図示しない永久磁石が回転されると、手回し発電機の多相発電機１によって発電が起こる。発電によってステータコイル２０２ａ〜２０２ｃから出力される相電圧φ１、φ２、φ３は、各々ダイオードに入力されて整流される。この結果、昇圧回路部１０３の入力端子２０３ａには、図３（ｂ）に示した直流の入力電圧Ｖｉｎが入力される。
【００２５】
ダイオード２０１ｇ〜２０１ｉは、アノードが入力端子２０３ａと直接または間接的に接続されていて、カソードが出力端子２０３ｂと直接または間接的に接続されている。このため、入力端子２０３ａから入力された電流は、逆流することなく出力端子２０３ｂに向かって流れるようになる。このように、アノードからカソードに電流が流れるためには、アノードに比べてカソードの電位が低くなっている。このため、本実施形態では、入力電圧Ｖｉｎが、ダイオード２０１ｇ〜２０１ｉの各々により、約０．５Ｖずつ降下する。このため、電圧Ｖｉｎは、ダイオード２０１ｇ〜２０１ｉを超えて出力端子２０３ｂに向かうたび、約０．５Ｖずつ降下する。
【００２６】
また、このとき、本実施形態では、相電圧φ２が制御回路１０２のトランジスタ２０５ａ、２０６ａのゲート端子に入力される。ｐ型ＭＯＳトランジスタであるトランジスタ２０５ａは、ソース・ゲート間の電圧が予め設定されている電圧よりも電圧Ｖδ１低くなったときにオンされる。反対に、ｎ型ＭＯＳトランジスタであるトランジスタ２０６ａは、ソース・ゲート間の電圧が予め設定されている電圧よりも電圧Ｖδ２高くなったときにオンされる。本実施形態では、例えば、予め設定されている電圧を２Ｖとすると、電圧Ｖδ１を０．７Ｖ、電圧Ｖδ２を０．６Ｖとする。
【００２７】
このようなトランジスタ２０５ａ、２０６ａのゲートに図３（ａ）に示した相電圧φ２が入力されることにより、トランジスタ２０５ａ、２０６ａは、交互にオン、オフされる。トランジスタ２０５ａがオンされ、トランジスタ２０６ａがオフされると、図中に示したノードｎ１には電圧Ｖｉｎが出力される。このとき、コンデンサ２０４ａは充電されることがない。また、反対に、トランジスタ２０５ａがオフされて、トランジスタ２０６ａがオンされると、ノードｎ１には電圧０Ｖが出力される。このとき、コンデンサ２０４ａには、入力電圧Ｖｉｎ−Ｖｄ（Ｖｄは、ダイオード２０１ｇに生じる電圧降下）に相当する電荷が蓄積される。
【００２８】
コンデンサ２０４ａに蓄積された電荷は、相電圧φ２が切り替わって次にトランジスタ２０５ａがオンされるタイミングでコンデンサ２０４ｂに対して放電される。
トランジスタ２０５ａがオンして入力電圧Ｖｉｎがノードｎ１に出力されると、トランジスタ２０５ｂ、２０６ｂのゲートにも入力電圧Ｖｉｎが入力される。入力電圧Ｖｉｎが入力されたことにより、トランジスタ２０５ｂはオフされて、トランジスタ２０６ｂがオンされる。このとき、図中に示したノードｎ２からは電圧０Ｖが出力されて、コンデンサ２０４ｂには、コンデンサ２０４ａのノードｎ３から電荷が流入し、ノードｎ４の電位がノードｎ３の電圧−Ｖｄになるまで充電される。
【００２９】
また、トランジスタ２０６ａがオンして電圧０Ｖがノードｎ１に出力されると、トランジスタ２０５ｂ、２０６ｂのゲートに電圧０Ｖが入力される。電圧０Ｖが入力されたことにより、トランジスタ２０６ｂはオフされて、トランジスタ２０５ｂがオンされる。このとき、図中に示したノードｎ２からは入力電圧Ｖｉｎが出力されて、コンデンサ２０４ｂのノードｎ４端子の電圧は、Ｖｉｎ電圧分だけ上昇する。
上昇することで、コンデンサ４へ電荷がコンデンサ２０４ｂから流出し、コンデンサ２０４の電圧がコンデンサ４の電圧＋Ｖｄとなるまで電荷の移動が行われる。
【００３０】
以上の動作によれば、コンデンサ２０４ｂは、相電圧φ２と同位相のタイミング（図３（ｃ−３）中にｎ２波形として示す）で充電と放電とを繰り返すようになる。この結果、本実施形態では、コンデンサ２０４ａ、２０４ｂに蓄積された順次後段に転送され、最終的にコンデンサ４に蓄積される。
以上説明した本実施形態の昇圧回路は、入力電圧Ｖｉｎによって蓄積された電荷を順次コンデンサに転送し、外付けのコンデンサ４に蓄積している。このため、入力電圧Ｖｉｎが入力されている間はコンデンサ４に電荷が蓄積され、蓄積された電荷は負荷等に供給される以外の目的で消費されることがない。このような本実施形態は、昇圧動作に発電した電力を消費する既存の発電装置よりも高い蓄電効率を得ることができる。
【００３１】
また、本実施形態の昇圧回路は、既存の昇圧回路が備える発振器を設ける必要がない。このため、前記したように、昇圧動作に発電した電力を消費しないばかりでなく、蓄電されている電力が発電動作に十分な量であるか否かをモニターする必要がない。このため、本実施形態の昇圧回路は、回路の構成を小型化し、その制御を簡易化することに有利なものとなる。
【産業上の利用可能性】
【００３２】
本発明は、昇圧回路、この昇圧回路を備えた発電装置に関する。そして、特に、手動で操作することによって発電を起こす手回し発電装置、手回し発電装置に内蔵される昇圧回路に好適である。
【符号の説明】
【００３３】
１  多相発電機
２  全波整流器
３  昇圧回路
４、２０４ａ、２０４ｂ  コンデンサ
５  昇圧回路部
６  制御回路
７  発振回路
２５、２６  インバータ
１００  発電装置
１０１  昇圧回路
１０２  制御回路
１０３  昇圧回路部
１０４  全波整流器
２０１ａ〜２０１ｉ  ダイオード
２０２ａ〜２０２ｃ  ステータコイル
２０３ａ  入力端子
２０３ｂ  出力端子
２０５ａ、２０６ａ、２０５ｂ、２０６ｂ  トランジスタ
【図１】
2014054110.tif 000003
【図２】
2014054110.tif 000004
【図３】
2014054110.tif 000005